(57)【要約】      （修正有）【課題】出力信号の品質を向上できる信号処理装置を提供する。【解決手段】所定時間区間であるフレーム単位の入力信号のピッチ周期に対応する情報に依存して定まるピッチ強調利得を取得するピッチ強調利得取得部１１と、入力信号における所定の周波数成分のピッチを、入力信号に対応するピッチ強調利得が大きいほど強く強調した信号であるピッチ強調信号を生成するピッチ強調信号生成部１２とを含み、ピッチ強調利得取得部により取得されるピッチ強調利得は、入力信号のピッチ周期が短いほど大きい、または、入力信号のピッチ周波数が高いほど大きい。【選択図】図３
2015161839.tif 000002
【特許請求の範囲】
【請求項１】
所定時間区間であるフレーム単位の入力信号のピッチ周期に対応する情報に依存して定まるピッチ強調利得を取得するピッチ強調利得取得部と、
前記入力信号における所定の周波数成分のピッチを、前記入力信号に対応するピッチ強調利得が大きいほど強く強調した信号であるピッチ強調信号を生成するピッチ強調信号生成部と、
を含み、
前記ピッチ強調利得取得部により取得されるピッチ強調利得は、
前記入力信号のピッチ周期が短いほど大きい、
または、
前記入力信号のピッチ周波数が高いほど大きい、
信号処理装置。
【請求項２】
所定時間区間であるフレーム単位の入力信号のピッチ周期に対応する情報に依存して定まるピッチ強調利得を取得するピッチ強調利得取得部と、
前記入力信号における所定の周波数成分のピッチを、前記入力信号に対応するピッチ強調利得が大きいほど強く強調した信号であるピッチ強調信号を生成するピッチ強調信号生成部と、
を含み、
前記入力信号のピッチ周期に対応する情報がピッチ周期が第１値の場合に対応する情報であるときに前記ピッチ強調利得取得部で取得されるピッチ強調利得を第１ピッチ強調利得とし、
前記入力信号のピッチ周期に対応する情報がピッチ周期が第１値よりも大きい第２値の場合に対応する情報であるときに、前記ピッチ強調利得取得部で取得されるピッチ強調利得を第２ピッチ強調利得としたとき、
第１ピッチ強調利得が第２ピッチ強調利得よりも大きい
信号処理装置。
【請求項３】
所定時間区間であるフレーム単位の入力信号のピッチ周期に対応する情報に依存して定まるピッチ強調利得を取得するピッチ強調利得取得部と、
前記入力信号における所定の周波数成分のピッチを、前記入力信号に対応するピッチ強調利得が大きいほど強く強調した信号であるピッチ強調信号を生成するピッチ強調信号生成部と、
を含み、
前記入力信号のピッチ周期に対応する情報がピッチ周波数が第１値の場合に対応する情報であるときに前記ピッチ強調利得取得部で取得されるピッチ強調利得を第１ピッチ強調利得とし、
前記入力信号のピッチ周期に対応する情報がピッチ周波数が第１値よりも大きい第２値の場合に対応する情報であるときに、前記ピッチ強調利得取得部で取得されるピッチ強調利得を第２ピッチ強調利得としたとき、
第１ピッチ強調利得が第２ピッチ強調利得よりも小さい
信号処理装置。
【請求項４】
Ｎをピッチ強調に用いる信号長とし、整数ｎはｎ＝０，１，…，Ｎ−１を充たすものとし、
所定時間区間であるフレーム単位の入力信号Ｘ（ｎ）のピッチ周期に対応する情報に依存して定まるピッチ強調利得ａを取得するピッチ強調利得取得部と、
前記入力信号Ｘ（ｎ）と、ピッチ周期τを用いて表される中間信号
【数７】
2015161839.tif 000009
と、前記ピッチ強調利得ａを用いて、ピッチ強調信号
【数８】
2015161839.tif 000010
を生成するピッチ強調信号生成部と、
を含み、
前記ピッチ強調利得取得部により取得されるピッチ強調利得は、
前記入力信号のピッチ周期が短いほど大きい、
または、
前記入力信号のピッチ周波数が高いほど大きい、
信号処理装置。
【請求項５】
Ｎをピッチ強調に用いる信号長とし、整数ｎはｎ＝０，１，…，Ｎ−１を充たすものとし、
所定時間区間であるフレーム単位の入力信号Ｘ（ｎ）のピッチ周期に対応する情報に依存して定まるピッチ強調利得ａを取得するピッチ強調利得取得部と、
前記入力信号Ｘ（ｎ）と、ピッチ周期τを用いて表される中間信号
【数９】
2015161839.tif 000011
と、前記ピッチ強調利得ａを用いて、ピッチ強調信号
【数１０】
2015161839.tif 000012
を生成するピッチ強調信号生成部と、
を含み、
前記入力信号のピッチ周期に対応する情報がピッチ周期が第１値の場合に対応する情報であるときに前記ピッチ強調利得取得部で取得されるピッチ強調利得を第１ピッチ強調利得とし、
前記入力信号のピッチ周期に対応する情報がピッチ周期が第１値よりも大きい第２値の場合に対応する情報であるときに、前記ピッチ強調利得取得部で取得されるピッチ強調利得を第２ピッチ強調利得としたとき、
第１ピッチ強調利得が第２ピッチ強調利得よりも大きい
信号処理装置。
【請求項６】
Ｎをピッチ強調に用いる信号長とし、整数ｎはｎ＝０，１，…，Ｎ−１を充たすものとし、
所定時間区間であるフレーム単位の入力信号Ｘ（ｎ）のピッチ周期に対応する情報に依存して定まるピッチ強調利得ａを取得するピッチ強調利得取得部と、
前記入力信号Ｘ（ｎ）と、ピッチ周期τを用いて表される中間信号
【数１１】
2015161839.tif 000013
と、前記ピッチ強調利得ａを用いて、ピッチ強調信号
【数１２】
2015161839.tif 000014
を生成するピッチ強調信号生成部と、
を含み、
前記入力信号のピッチ周期に対応する情報がピッチ周波数が第１値の場合に対応する情報であるときに前記ピッチ強調利得取得部で取得されるピッチ強調利得を第１ピッチ強調利得とし、
前記入力信号のピッチ周期に対応する情報がピッチ周波数が第１値よりも大きい第２値の場合に対応する情報であるときに、前記ピッチ強調利得取得部で取得されるピッチ強調利得を第２ピッチ強調利得としたとき、
第１ピッチ強調利得が第２ピッチ強調利得よりも小さい
信号処理装置。
【請求項７】
信号処理装置が実行する信号処理方法であって、
所定時間区間であるフレーム単位の入力信号のピッチ周期に対応する情報に依存して定まるピッチ強調利得を取得するピッチ強調利得取得ステップと、
前記入力信号における所定の周波数成分のピッチを、前記入力信号に対応するピッチ強調利得が大きいほど強く強調した信号であるピッチ強調信号を生成するピッチ強調信号生成ステップと、
を含み、
前記ピッチ強調利得取得ステップにより取得されるピッチ強調利得は、
前記入力信号のピッチ周期が短いほど大きい、
または、
前記入力信号のピッチ周波数が高いほど大きい、
信号処理方法。
【請求項８】
信号処理装置が実行する信号処理方法であって、
所定時間区間であるフレーム単位の入力信号のピッチ周期に対応する情報に依存して定まるピッチ強調利得を取得するピッチ強調利得取得ステップと、
前記入力信号における所定の周波数成分のピッチを、前記入力信号に対応するピッチ強調利得が大きいほど強く強調した信号であるピッチ強調信号を生成するピッチ強調信号生成ステップと、
を含み、
前記入力信号のピッチ周期に対応する情報がピッチ周期が第１値の場合に対応する情報であるときに前記ピッチ強調利得取得ステップで取得されるピッチ強調利得を第１ピッチ強調利得とし、
前記入力信号のピッチ周期に対応する情報がピッチ周期が第１値よりも大きい第２値の場合に対応する情報であるときに、前記ピッチ強調利得取得ステップで取得されるピッチ強調利得を第２ピッチ強調利得としたとき、
第１ピッチ強調利得が第２ピッチ強調利得よりも大きい
信号処理方法。
【請求項９】
信号処理装置が実行する信号処理方法であって、
所定時間区間であるフレーム単位の入力信号のピッチ周期に対応する情報に依存して定まるピッチ強調利得を取得するピッチ強調利得取得ステップと、
前記入力信号における所定の周波数成分のピッチを、前記入力信号に対応するピッチ強調利得が大きいほど強く強調した信号であるピッチ強調信号を生成するピッチ強調信号生成ステップと、
を含み、
前記入力信号のピッチ周期に対応する情報がピッチ周波数が第１値の場合に対応する情報であるときに前記ピッチ強調利得取得ステップで取得されるピッチ強調利得を第１ピッチ強調利得とし、
前記入力信号のピッチ周期に対応する情報がピッチ周波数が第１値よりも大きい第２値の場合に対応する情報であるときに、前記ピッチ強調利得取得ステップで取得されるピッチ強調利得を第２ピッチ強調利得としたとき、
第１ピッチ強調利得が第２ピッチ強調利得よりも小さい
信号処理方法。
【請求項１０】
請求項７から９の何れかに記載の信号処理方法を実行すべき指令をコンピュータに対してするプログラム。
【発明の詳細な説明】
【技術分野】
【０００１】
この発明はディジタル時系列信号のポストフィルタ処理を実行する信号処理装置、信号処理方法、プログラムに関する。
【背景技術】
【０００２】
音声や音響信号の符号化では、デコードした音響信号に対してポストフィルタ処理を行い聴感上の音質を向上させる手法が広く用いられている（非特許文献１、２）。以下、図１、図２を参照して非特許文献１の信号処理装置について説明する。図１は非特許文献１の信号処理装置９の構成を示すブロック図である。図２は非特許文献１の信号処理装置９の動作を示すフローチャートである。図１に示すように非特許文献１の信号処理装置９は、ピッチ改善部９１と、減算部９２と、ローパスフィルタ部９３と、合成部９４を含む。信号処理装置９は、これらの構成によりポストフィルタ処理を実行する。ポストフィルタへの入力信号がＮサンプルのフレーム毎に処理されるとし、あるフレームの入力信号をＸ（ｎ）（ｎ＝０，１，…，Ｎ−１）とする。
【０００３】
ピッチ改善部９１は入力信号Ｘ（ｎ）とＸ（ｎ）のピッチ周期τを用いてピッチ強調信号Ｐ（ｎ）を求める。具体的には、まずピッチ改善部９１は下記式により、ピッチの強調された中間信号Ｑ（ｎ）を求める。
【０００４】
【数１】
2015161839.tif 000003
【０００５】
ピッチ改善部９１はピッチの強調された中間信号Ｑ（ｎ）を用いて、下記式によりピッチ強調信号Ｐ（ｎ）を得る（Ｓ９１）。
【０００６】
【数２】
2015161839.tif 000004
【０００７】
ここで、ａは高調波の減衰を制御するパラメタ（ピッチ強調利得）であり、予め定められた定数である。
【０００８】
ここで、ピッチ強調利得ａは、
【０００９】
【数３】
2015161839.tif 000005
【００１０】
として処理フレームごとに適応的に算出される。ただし、過度なピッチ強調による音質の劣化を防ぐため、拘束条件として０≦ａ≦０．５が設定されている。ゆえに、ピッチ強調利得ａは、
【００１１】
【数４】
2015161839.tif 000006
【００１２】
として上限及び下限で丸められる。なお、
【００１３】
【数５】
2015161839.tif 000007
【００１４】
であり、Ｎはピッチ強調に用いる信号長である。ＣｐはＸ（ｎ）とＱ（ｎ）の内積であり、ＥｐはＱ（ｎ）のエネルギーを表す。また、
【００１５】
【数６】
2015161839.tif 000008
【００１６】
である。ここで、←は右辺の値で左辺のパラメータの値を更新することを表す。￣ＥｐｐはＱ（ｎ）の直前の処理フレームまでの平均予測誤差のエネルギーを表す。
【００１７】
別の表現では、ピッチ改善部９１は現在の時間区間の入力信号Ｘ（ｎ）に、現在よりもピッチ周期τだけ過去の入力信号ｘ（ｎ−τ）、および現在よりもピッチ周期τだけ未来の入力信号ｘ（ｎ＋τ）を合成した信号であるピッチ強調信号Ｐ（ｎ）を生成する（Ｓ９１）。
【００１８】
次に、減算部９２は、ピッチ強調信号Ｐ（ｎ）から現在の時間区間の入力信号Ｘ（ｎ）を減算した残差信号Ｒ（ｎ）＝Ｐ（ｎ）−Ｘ（ｎ）を出力する（Ｓ９２）。ローパスフィルタ部９３は、固定値のカットオフ周波数Ｆｃ＝５００Ｈｚのローパスフィルタリングを実行して、残差信号Ｒ（ｎ）からカットオフ周波数Ｆｃ＝５００Ｈｚ以下の周波数成分のみを抽出した残差信号ｒ（ｎ）を出力する（Ｓ９３）。合成部９４は、現在の時間区間の入力信号Ｘ（ｎ）と、ローパスフィルタ部９３から出力された低域のみの残差信号ｒ（ｎ）とを合成した信号Ｙ（ｎ）＝Ｘ（ｎ）＋ｒ（ｎ）を生成し、信号Ｙ（ｎ）を出力する（Ｓ９４）。
【００１９】
このようにして、非特許文献１の信号処理装置９では、低域（５００Ｈｚ以下の周波数成分）のピッチ構造を強調することにより聴感上の品質を向上させていた。また、非特許文献２では、上述のローパスフィルタリングの代わりに、全周波数帯域についてピッチ強調を行う方法が用いられている。
【先行技術文献】
【非特許文献】
【００２０】
【非特許文献１】ITU-T Rec. G.718, ITU, 2008.（7.14.1.1節）
【非特許文献２】Chen Juin-Hwey and A. Gersho, “Adaptive postfiltering for quality enhancement of coded speech,” IEEE Transactions on Speech and Audio Processing, Volume: 3, Issue: 1, Pages: 59 - 71, 1995.
【発明の概要】
【発明が解決しようとする課題】
【００２１】
従来の方法では、Ｘ（ｎ）とＱ（ｎ）に依存して、０≦ａ≦０．５の範囲でピッチ強調利得ａを調整することによりピッチ強調信号を生成していた。よって、制約しすぎる場合には入力信号のピッチによる調波構造が十分に再現できず、必ずしも出力信号の品質が十分に向上しないという課題があった。そこで、本発明では出力信号の品質を向上できる信号処理装置を提供することを目的とする。
【課題を解決するための手段】
【００２２】
本発明の信号処理装置は、ピッチ強調利得取得部と、ピッチ強調信号生成部を含む。
【００２３】
ピッチ強調利得取得部は、所定時間区間であるフレーム単位の入力信号のピッチ周期に対応する情報に依存して定まるピッチ強調利得を取得する。ピッチ強調信号生成部は、入力信号における所定の周波数成分のピッチを、入力信号に対応するピッチ強調利得が大きいほど強く強調した信号であるピッチ強調信号を生成する。
【００２４】
ピッチ強調利得取得部により取得されるピッチ強調利得は、入力信号のピッチ周期が短いほど大きい、または入力信号のピッチ周波数が高いほど大きい。
【発明の効果】
【００２５】
本発明の信号処理装置によれば、出力信号の品質を向上できる。
【図面の簡単な説明】
【００２６】
【図１】非特許文献１の信号処理装置の構成を示すブロック図。
【図２】非特許文献１の信号処理装置の動作を示すフローチャート。
【図３】本発明の実施例１の信号処理装置の構成を示すブロック図。
【図４】本発明の実施例１の信号処理装置の動作を示すフローチャート。
【図５】本発明の変形例１の信号処理装置の構成を示すブロック図。
【図６】本発明の変形例１の信号処理装置の動作を示すフローチャート。
【発明を実施するための形態】
【００２７】
以下、本発明の実施の形態について、詳細に説明する。なお、同じ機能を有する構成部には同じ番号を付し、重複説明を省略する。
【００２８】
本発明では所定の時間区間であるフレーム単位の入力信号のピッチ周波数（基本周波数）またはピッチ周期に依存して、ピッチ強調利得を変える。ピッチ強調では低い周波数帯域のピッチを強調するが、ピッチ周波数が高いとき（ピッチ周期が短いとき）は、ピッチ周波数が低いとき（ピッチ周期が長いとき）よりも大きなピッチ強調利得を用いてピッチ強調を行う。フレームごとにピッチ強調利得を適応的に変えることで、各フレームの入力信号についてピッチ周期による調波構造の倍音構造を適切に表現することができるので、音質をさらに向上させることができる。
【００２９】
＜信号処理装置への入力＞
本発明の信号処理装置には、所定の時間区間であるフレーム単位の音声信号や音響信号などの時系列信号Ｘ（ｎ）とピッチ周期情報Ｔとが入力される。音響信号の例は、単音構造の楽器信号などである。時系列信号Ｘ（ｎ）（以下、「入力信号Ｘ（ｎ）」という）は、フレーム毎の入力信号であり、あるフレームのｎ番目のサンプルの入力信号をＸ（ｎ）と表記する（ｎ＝１，２，…，Ｎ−１，Ｎはフレーム内のサンプル数）。入力信号Ｘ（ｎ）は、入力符号を復号して得た復号音響信号、もしくは、音源からの音をマイクなどにより収音した信号に対して音源分離や残響除去等の処理が行われた後の復元音響信号である。なお、復号音響信号は、周知の音響信号のロッシーな符号化・復号化方法における復号方法により得られた信号であれば何でも良い。例えば、非特許文献１のデコーダにより復号された音響信号や、ＡＭＲ，Ｇ．７２９などの他の音声・音響信号の圧縮符号化・復号化方法に基づいて復号された音響信号である。つまり、信号処理装置の入力信号は、原信号に何らかの信号処理を施すことにより得た、原信号に歪みが加わった信号（ロッシーな信号）である。なお、非特許文献１のデコーダやＡＭＲ，Ｇ．７２９などのデコーダでは、複数フレーム分の音響信号（復号された音響信号）が連続して出力される。よって、本発明の信号処理装置にも、複数フレーム分の音響信号が連続して入力されることになる。
【００３０】
ピッチ周期情報Ｔは、現在または現在に近接するフレームの入力信号のピッチ周期に対応する情報であれば何でも良い。「ピッチ周期に対応する情報」は、例えば、ピッチ周期そのものであってもよいし、ピッチ周期を量子化した値であってもよいし、ピッチ周期またはその量子化値に対応するインデックス符号であってもよい。また、ピッチ周期はピッチ周波数の逆数であるので、ピッチ周波数や、ピッチ周波数を量子化した値、ピッチ周波数またはその量子化値に対応するインデックス符号、を「ピッチ周期情報Ｔ」としてもよい。ピッチ周期情報Ｔは、例えば、圧縮された音響信号から復号音響信号を得る過程で得られる、入力信号（復号音響信号）Ｘ（ｎ）に対応するピッチ周期τである。「Ｘ（ｎ）に対応するピッチ周期τ」は、Ｘ（ｎ）を含むフレームＸ＝（Ｘ（１），Ｘ（２），…，Ｘ（Ｎ−１））のピッチ周期でも良いし、Ｘ（ｎ）を含むフレームの近傍のフレームのピッチ周期でも良いし、Ｘ（ｎ）を含むフレームの近傍のフレームのピッチ周期の平均値や重み付き平均値や最大値／最小値／中央値のような統計値でもよい。また、Ｘ（ｎ）に対応するピッチ周期τの量子化値τ’＝Ｒｏｕｎｄ（τ）をピッチ周期τとしてもよい。ここでＲｏｕｎｄ関数は実数値を整数値に変換する関数であり、一番近い整数値に変換する四捨五入でもよいし、床関数（切り捨て）でもよいし、天井関数（切り上げ）でもよい。
【実施例１】
【００３１】
以下、図３、図４を参照して実施例１の信号処理装置について説明する。図３は、本実施例の信号処理装置１の構成を示すブロック図である。図４は、本実施例の信号処理装置１の動作を示すフローチャートである。図３に示すように、本実施例の信号処理装置１は、ピッチ強調利得取得部１１と、ピッチ強調信号生成部１２を含む。
【００３２】
〔ピッチ強調利得取得部１１〕
ピッチ強調利得取得部１１は、入力されたピッチ周期情報Ｔに基づいて、ピッチ強調利得を取得する。別の表現では、ピッチ強調利得取得部１１は、所定時間区間であるフレーム単位の入力信号のピッチ周期に対応する情報（ピッチ周期情報Ｔ）に依存して定まるピッチ強調利得ａを取得する（Ｓ１１）。ピッチ強調利得ａは、後述のピッチ強調信号生成部１２でピッチを強調する度合いを制御するために用いられる情報である。
【００３３】
具体的には、ピッチ強調利得取得部１１は、ピッチ周期が短い（ピッチ周波数が高い）ほどピッチ強調利得ａが大きくなるように、ピッチ強調利得ａを決定する。例えば、ピッチ周期情報Ｔに対応するピッチ周期をτとし、τについての単調非増加関数をｇ（τ）としたとき、ピッチ強調利得取得部１１は、
ａ＝ｇ（τ）
によりピッチ強調利得ａを決定する。単調非増加関数ｇ（τ）の一例は、
ｇ（τ）＝０．００３６×ｆｓ／τ−０．１８２０
である。ここで、ｆｓはサンプリング周波数である。
【００３４】
なお、ピッチ強調利得aの値が、τの値の増加に対して連続的な単調非増加の関係ではなく離散的な単調非増加の関係であってもよい。例えば、所定の閾値をθとして、異なる２つのピッチ強調利得をa1, a2 (a1<a2)として、０＜τ≦θの場合にはピッチ強調利得a2をピッチ強調利得aとして決定し、θ＜τの場合にはピッチ強調利得a1をピッチ強調利得aとして決定してもよい。あるいは、０＜τ≦θの場合には固定値のピッチ強調利得a’をピッチ強調利得aとして決定し、θ＜τの場合にはピッチ強調利得a=g(τ)と決定してもよい。
【００３５】
言い換えれば、入力信号のピッチ周期に対応する情報がピッチ周期が第１値の場合に対応する情報であるときにピッチ強調利得取得部１１で取得される第１ピッチ強調利得a2は、入力信号のピッチ周期に対応する情報がピッチ周期が第１値よりも大きい第２値の場合に対応する情報であるときにピッチ強調利得取得部１１で取得される第２ピッチ強調利得a1よりも大きい。
【００３６】
〔ピッチ強調信号生成部１２〕
ピッチ強調信号生成部１２は、ピッチ強調利得取得部１１で取得したピッチ強調利得ａと入力信号Ｘ（ｎ）を入力として、入力信号Ｘ（ｎ）のうち所定のカットオフ周波数以下の周波数成分のピッチをピッチ強調利得ａに対応する割合で強調したピッチ強調信号Ｐ（ｎ）を生成する。（Ｓ１２）。別の表現では、ピッチ強調信号生成部１２は、入力信号における所定の周波数成分のピッチを、入力信号に対応するピッチ強調利得が大きいほど強く強調した信号であるピッチ強調信号を生成する。
【００３７】
例えば、ピッチ強調信号生成部１２は、式（２）で表現される重み付き和により、ピッチ強調信号Ｐ（ｎ）を生成する。式（２）からわかるように、ピッチ強調利得ａは、入力信号の所定周波数成分以下のピッチを強調する度合いに対応している。つまり、ピッチ強調信号生成部１２は、式（２）の重み付き和に限らず、入力信号Ｘ（ｎ）のうちの所定のカットオフ周波数以下の周波数成分のピッチが、ピッチ強調利得ａが大きいほど強く強調された信号をピッチ強調信号Ｐ（ｎ）として生成する処理であれば、何でもよい。
【００３８】
＜変形例１＞
以下、図５、図６を参照して、本実施例のピッチ強調利得取得部１１に改変を加えた変形例１の信号処理装置について説明する。図５は、本変形例の信号処理装置１ａの構成を示すブロック図である。図６は本変形例の信号処理装置１ａの動作を示すフローチャートである。図５に示すように、本変形例の信号処理装置１ａは、ピッチ強調利得取得部１１ａと、ピッチ強調信号生成部１２を含む。
【００３９】
ピッチ強調利得取得部１１ａは、ピッチ周波数が高いほどピッチ強調利得ａが大きくなるように、ピッチ強調利得ａを決定する（Ｓ１１ａ）。例えば、ピッチ周期情報Ｔに対応するピッチ周波数をＦｐとし、Ｆｐについての単調非減少関数をｈ（Ｆｐ）としたとき、ピッチ強調利得取得部１１ａは、
ａ＝ｈ（Ｆｐ）
によりピッチ強調利得ａを求める。単調非減少関数ｈ（Ｆｐ）の一例は、
ｈ（Ｆｐ）＝０．００３６×Ｆｐ−０．１８２０
である。
【００４０】
なお、ピッチ強調利得aの値が、Fpの値の増加に対して連続的な単調非現象の関係ではなく離散的な単調非現象の関係であってもよい。例えば、所定の閾値をθとして、異なる２つのピッチ強調利得をa1, a2 (a1<a2)として、０＜Fp≦θの場合にはピッチ強調利得a1をピッチ強調利得aとして決定し、θ＜Fpの場合にはピッチ強調利得a2をピッチ強調利得aとして決定してもよい。あるいは、０＜Fp≦θの場合にはピッチ強調利得a=g(τ)と決定し、θ＜Fpの場合には固定値のピッチ強調利得a’をピッチ強調利得aとして決定してもよい。
【００４１】
言い換えれば、入力信号のピッチ周期に対応する情報がピッチ周波数が第１値の場合に対応する情報であるときにピッチ強調利得取得部１１ａで取得される第１ピッチ強調利得a1は、入力信号のピッチ周期に対応する情報がピッチ周波数が第１値よりも大きい第２値の場合に対応する情報であるときにピッチ強調利得取得部１１ａで取得される第２ピッチ強調利得a2よりも小さい。
【００４２】
上述の構成をコンピュータによって実現する場合、各装置が有すべき機能の処理内容はプログラムによって記述される。そして、このプログラムをコンピュータで実行することにより、上記処理機能がコンピュータ上で実現される。
【００４３】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００４４】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４５】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【００４６】
なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。また、この形態では、コンピュータ上で所定のプログラムを実行させることにより、本装置を構成することとしたが、これらの処理内容の少なくとも一部をハードウェア的に実現することとしてもよい。
【図１】
2015161839.tif 000015
【図２】
2015161839.tif 000016
【図３】
2015161839.tif 000017
【図４】
2015161839.tif 000018
【図５】
2015161839.tif 000019
【図６】
2015161839.tif 000020